(57)【要約】 【課題】補助レンズ部を眼鏡のレンズ部に安定状態で装着できると共に、装着状態の外観を極力損なわない前掛眼鏡を提供する。【解決手段】眼鏡２に着脱可能の前掛眼鏡であって、眼鏡の左右のレンズ部８，８を前側から覆う左右の補助レンズ部９，９相互が連結部１０で連結されている。補助レンズ部９の上下の縁部分１２，１３が、レンズ部８の前側の上下の縁部分１５，１６に当接し得る。連結部１０には、レンズ押圧部材１７が正逆回動可能に設けられている。レンズ押圧部材１７は、その押圧部２５がレンズ部８の後面２３に付勢状態で押圧された押圧状態と、該押圧部２５が後方に回動された拡開状態との角度範囲で回動可能である。拡開状態で、レンズ押圧部材１７の押圧片２６と前記補助レンズ部８との間に形成された間隙３６に、レンズ部８の上縁部分２０を嵌入させ得る。補助レンズ部９と押圧部２５との間で、レンズ部８を弾性的に挾持できる。【選択図】図３
0003158051.tif 000002
【実用新案登録請求の範囲】
【請求項１】
左右のレンズ部相互がブリッジ部で連結されてなる眼鏡に着脱可能に装着される前掛眼鏡であって、該前掛眼鏡は、左右のレンズ部を前側から覆う左右の補助レンズ部相互が連結部で連結されており、左右の補助レンズ部の夫々は、該補助レンズ部の後面部の上下の縁部分が前記レンズ部の前側の上下の縁部分に当接した状態で左右のレンズ部に取り付けられる如くなされ、
又、前記連結部にはレンズ押圧部材が設けられており、該レンズ押圧部材は、枢着片の両側に、前記眼鏡のレンズ部の上縁部分又は前記ブリッジ部を前後方向で跨ぐ後方突出片が設けられ、該後方突出片の後部には、下方向に延び且つ前記レンズ部の後面に押圧される押圧部を下側に有する押圧片が設けられており、該枢着片は、左右方向の軸線回りに正逆回動可能にバネ部材を介して前記連結部に設けられており、又、該レンズ押圧部材は、前記押圧部が、前記バネ部材の付勢作用によって前記レンズ部の後面に弾性的に押圧された押圧状態と、前記バネ部材の付勢作用に逆らって後方に回動された拡開状態との角度範囲で、前記枢着片に設けられたレバー片の回動操作によって回動可能となされており、
該拡開状態で、前記補助レンズ部と前記押圧片との間に、前記眼鏡の前記レンズ部の上縁部分又は前記ブリッジ部の前後幅よりも大なる間隙を形成でき、該間隙に該上縁部分又は前記ブリッジ部を嵌入させた状態で、前記バネ部材の付勢作用によって、前記レンズ部の前側の上下の縁部分に当接状態にある前記補助レンズ部と前記押圧部との間で前記レンズ部が弾性的に挾持されることを特徴とする前掛眼鏡。
【請求項２】
前記眼鏡は、樹脂製眼鏡枠にレンズを取り付けてなることを特徴とする請求項１記載の前掛眼鏡。
【考案の詳細な説明】
【技術分野】
【０００１】
本考案は、眼鏡に着脱自在に装着される前掛眼鏡に関するものである。
【背景技術】
【０００２】
眼鏡に装着することによって遮光眼鏡や偏光眼鏡等を掛けた状態を得る目的で、各種タイプの前掛眼鏡が実用に供されている。
【０００３】
その一例として、実開昭５８−１６６１７号公報が開示するようなクリップ挾持方式のものがある。この種の前掛眼鏡ａは、図６〜７に示すように、左右の補助レンズ部ｂ，ｂ相互を連結する連結部ｃを回動可能に支持する支持部材ｗに、眼鏡ｄの左右のレンズ部ｅ，ｅの内側部分ｆ，ｆを前後から弾性的に挾持する前後一対のクリップ片ｇ，ｈを有したクリップ具ｊを設けた構成を有しており、レバー片ｋの押し下げ操作によって、該後のクリップ片ｈを該前のクリップ片ｇに対して、バネ部材ｍの付勢作用に逆らう如く後方に回動させ得るように構成されていた。そして、該後のクリップ片ｈを後方に回動させて前後のクリップ片ｇ，ｈ間を拡開させた状態で、その間隙ｎに、前記眼鏡ｄの前記レンズ部ｅの上縁部分ｐを嵌入させることができ、この嵌入された状態で、該前後のクリップ片ｇ，ｈによって前記左右のレンズ部ｅ，ｅの内側部分ｆ，ｆを前後から弾性的に挾持可能となされ、これにより前掛眼鏡ａを眼鏡ｄに装着可能となされていた。そしてこの状態で、図７（Ｃ）に一点鎖線で示すように、前記補助レンズ部ｂ，ｂを、前記連結部の回動によって撥ね上げ可能となされていた。
【０００４】
しかし該装着状態においては、図７（Ｃ）に示すように、前のクリップ片ｇがレンズ部ｅの前側に位置することから、前記補助レンズ部ｂは該前のクリップ片ｇの前側に配置されることになり、従って図６、図７（Ｃ）に示すように、平面視で、補助レンズ部ｂの上縁部ｑがレンズ部ｅの上縁部ｒから大きく離れた状態となり両上縁部ｑ，ｒ間に大きな隙間ｓが形成されることになった。かかることから、眼鏡ｄに前掛眼鏡ａを装着した状態で、眼鏡のレンズ部分ｔの前後の厚さがかなり厚くなった。特に、図６〜７に示すような樹脂製枠ｕを用いて眼鏡ｄが構成されている場合は、左右のレンズ部ｅ，ｅの前後厚さそれ自体が、金属線材を折曲して構成されてなる従来の金属製枠を用いてなる眼鏡に比してかなり厚いものとなることから、かかる樹脂製枠ｕを用いてなる眼鏡ｄに前記構成の前掛眼鏡ａを装着したときは、該装着した状態におけるレンズ部分ｔの平面視での前後厚さが相当に厚くなった。
【０００５】
このように従来の前掛眼鏡によるときは、レンズ部ｅと補助レンズ部ｂとの一体感が乏しく、これを眼鏡に装着した状態が不自然となり、該装着眼鏡を着用した状態の外観を損なう問題があった。特に、樹脂製枠を用いてなる眼鏡に前掛眼鏡を装着したときは、装着状態の見栄えが一層悪い問題があった。
【０００６】
更に、このように前掛眼鏡ａを眼鏡ｄに装着した状態では、補助レンズ部ｂの上縁部ｑがレンズ部ｅの上縁部ｒから離れた状態となるために、レンズ部ｅに対する補助レンズ部ｂの取り付け状態が不安定化し易い問題もあった。
【先行技術文献】
【特許文献】
【０００７】
【特許文献１】実開昭５８−１６６１７号公報
【考案の概要】
【考案が解決しようとする課題】
【０００８】
本考案は、従来の前掛眼鏡における前記問題点に鑑みて開発されたものであり、補助レンズ部をレンズ部に安定状態で装着できると共に、装着状態の外観を極力損なわないようになし得る前掛眼鏡の提供を課題とするものである。
【課題を解決するための手段】
【０００９】
前記課題を解決するため本考案は以下の手段を採用する。
即ち本考案に係る前掛眼鏡は、左右のレンズ部相互がブリッジ部で連結されてなる眼鏡に着脱可能に装着される前掛眼鏡であって、該前掛眼鏡は、左右のレンズ部を前側から覆う左右の補助レンズ部相互が連結部で連結されており、左右の補助レンズ部の夫々は、該補助レンズ部の後面部の上下の縁部分が前記レンズ部の前側の上下の縁部分に当接した状態で左右のレンズ部に取り付けられる如くなされている。又、前記連結部にはレンズ押圧部材が設けられており、該レンズ押圧部材は、枢着片の両側に、前記眼鏡のレンズ部の上縁部分又は前記ブリッジ部を前後方向で跨ぐ後方突出片が設けられ、該後方突出片の後部には、下方向に延び且つ前記レンズ部の後面に押圧される押圧部を下側に有する押圧片が設けられており、該枢着片は、左右方向の軸線回りに正逆回動可能にバネ部材を介して前記連結部に設けられている。又、該レンズ押圧部材は、前記押圧部が、前記バネ部材の付勢作用によって前記レンズ部の後面に弾性的に押圧された押圧状態と、前記バネ部材の付勢作用に逆らって後方に回動された拡開状態との角度範囲で、前記枢着片に設けられたレバー片の回動操作によって回動可能となされており、該拡開状態で、前記補助レンズ部と前記押圧片との間に、前記眼鏡の前記レンズ部の上縁部分又は前記ブリッジ部の前後幅よりも大なる間隙を形成でき、該間隙に該上縁部分を嵌入させた状態で、前記バネ部材の付勢作用によって、前記レンズ部の前側の上下の縁部分に当接状態にある前記補助レンズ部と前記押圧部との間で前記レンズ部が弾性的に挾持されることを特徴とするものである。前記眼鏡は、例えば、樹脂製眼鏡枠にレンズを取り付けた構成のものである。
【考案の効果】
【００１０】
本考案は以下の如き優れた効果を奏する。
(1) 本考案に係る前掛眼鏡によるときは、これを眼鏡に装着した状態において、前記左右の補助レンズ部の夫々が、前記左右のレンズ部の前側の上下の縁部分に当接した状態となる。従って、該左右の補助レンズ部が該左右のレンズ部に密着一体化状態となり、眼鏡に対する前掛眼鏡の装着状態が安定したものとなる。
【００１１】
(2) 又、本考案に係る前掛眼鏡によるときは、左右の補助レンズ部が左右のレンズ部に密着一体化状態となることから、前掛眼鏡の装着状態がスリムとなって該装着状態が自然な外観を呈する。かかることから、左右の補助レンズ部が左右のレンズ部から前側に大きく出っ張る状態となった従来の前掛眼鏡とは異なり、前掛眼鏡が装着された眼鏡の外観を極力損なわないようになし得る。
【００１２】
前記眼鏡が特に、樹脂製枠を具える如く構成されるときは、レンズ部の上縁部分の前後厚さが厚いものとなるが、前記補助レンズ部をレンズ部に密接一体化状態となし得るために、前掛眼鏡を眼鏡に装着した状態におけるレンズ部分の厚さを極力小さく設定できることとなる。これによって、樹脂製枠を具える眼鏡に対して前掛眼鏡を装着したときにも、前掛眼鏡が装着された眼鏡の外観を極力損なわないようになし得る。
【図面の簡単な説明】
【００１３】
【図１】本考案に係る前掛眼鏡を眼鏡と共に示す斜視図である。
【図２】前掛眼鏡を眼鏡に装着した状態を示す斜視図である。
【図３】前掛眼鏡を眼鏡に装着する工程を説明する断面図である。
【図４】前掛眼鏡のレンズ押圧部材を示す斜視図である。
【図５】前掛眼鏡のレンズ押圧部材を、レバー片を押し下げた状態で示す斜視図である。
【図６】従来の前掛眼鏡を眼鏡に装着した状態で示す平面図である。
【図７】従来の前掛眼鏡を眼鏡に装着する工程を説明する断面図である。
【考案を実施するための形態】
【実施例１】
【００１４】
図１〜３において本考案に係る前掛眼鏡１は、眼鏡２に着脱可能に装着されるものである。該眼鏡２は、左右のレンズ枠部３，３相互がブリッジ部５で連結されてなる樹脂製眼鏡枠６の該レンズ枠部３，３にレンズ７，７を取り付けてなり、左右のレンズ部８，８を具えている。該樹脂製枠６は、セルロイドやアセテート等の樹脂を用いて構成されている。
【００１５】
前記前掛眼鏡１は、前記左右のレンズ部８，８を前側から覆う左右の補助レンズ部（例えば遮光レンズ部）９，９相互が連結部１０で連結されており、該左右の補助レンズ部９，９相互は、図２、図３（Ｃ）に示すように、その後面部１１の上下の縁部分１２，１３が前記レンズ部８の前側の上下の縁部分１５，１６に当接した状態で該左右のレンズ部８，８に取り付けられる如くなされている。そして、図３、図４〜５に示すように、前記連結部１０にはレンズ押圧部材１７が設けられており、該レンズ押圧部材１７は、枢着片１９の両側に、前記眼鏡２の前記レンズ部８，８の上縁部分２０，２０の内側部２０ａ，２０ａ又は前記ブリッジ部５（本実施例においては上縁部分２０，２０の内側部２０ａ，２０ａ）を前後方向で跨ぐ後方突出片２１，２１が設けられ、該後方突出片２１，２１の後部２２，２２には、下方向に延長し且つ前記レンズ部８の後面２３に押圧される押圧部２５を下側に有する押圧片２６が連設されている。以下、これをより具体的に説明する。
【００１６】
前記枢着片１９は、本実施例においては図４に示すように、左右方向に長い丸軸状を呈しており、該枢着片１９の両側（本実施例においては両端）に前記後方突出片２１，２１が連設されている。そして前記押圧片２６は、前記後方突出片２１の後端２２で、補助レンズ部９の左右方向の外側に向け下方向に傾斜するアーム片部２７が屈曲形成されると共に、該アーム片部２７の下端２９で、ゴム被覆された前記押圧部２５が下方向に連設されている。
【００１７】
かかる構成を有する枢着片１９の両端側の部分３１，３１は、図４に示すように、前記連結部１０の後面側の左右に設けられた軸受部３２，３２に、左右方向の軸線回りに正逆回動可能に枢着されている。そして該枢着片１９の左右方向中央部分には、前記押圧部２５が前記レンズ部８の後面２３に当接した状態において前方に向け斜め上方に突出するレバー片３３が設けられている。該レバー片３３は、前記枢着片１９からの突出量が小さい。
【００１８】
又図４に示すように、該レバー片３３の両側において、例えばねじりコイルバネからなるバネ部材３５，３５が組み付けられており、該バネ部材３５，３５の付勢作用によって、図３（Ｃ）に示すように、前記押圧部２５が前記レンズ部８の後面２３に弾性的に押圧された状態となり得る。そして前記レンズ押圧部材１７は、前記バネ部材３５の付勢作用によって前記レンズ部８の後面２３に弾性的に押圧された図３（Ｃ）に示す押圧状態と、前記バネ部材３５の付勢作用に逆らって後方に回動された（前記レバー片３３を下方向に押し下げ回動操作することによって回動させることができる）図３（Ｂ）に示す拡開状態との角度範囲で回動可能となされており、該拡開状態で、前記補助レンズ部９と前記押圧片２６との間に、前記眼鏡２の前記レンズ部８の上縁部分２０又は前記ブリッジ部５の前後幅よりも大なる間隙３６を形成できる。
【００１９】
然して、該間隙３６に前記上縁部分２０又は前記ブリッジ部５を嵌入させた状態で前記レバー片３３を離すと、前記バネ部材３５，３５の付勢作用によって、図３（Ｃ）に示すように、前記上下の縁部分１５，１６に当接した状態にある前記補助レンズ部９と前記押圧部２５との間で前記レンズ部８が弾性的に挾持され、これにより、前掛眼鏡１が眼鏡２に安定状態で装着されることになる。該前掛眼鏡１を眼鏡２から取り外すに際しては、前記レバー片３３を下方向に押し下げて前記押圧部２５，２５を後方に回動させた拡開状態とする（図３（Ｂ）に示すと同様の状態）。この状態で前記上縁部分２０を前記間隙３６から外すことにより、該前掛眼鏡１を眼鏡２から取り外すことができる。
【００２０】
このようにして前掛眼鏡１を眼鏡２に装着した状態においては、前記左右の補助レンズ部９，９の夫々が、前記レンズ部８の前側の上下の縁部分１５，１６に当接した状態となる。従って、該左右の補助レンズ部９，９が該左右のレンズ部８，８に密着一体化状態となり、眼鏡２に対する前掛眼鏡１の装着状態が安定したものとなる。又、このように左右の補助レンズ部９，９が左右のレンズ部８，８に密着一体化状態となることから、前掛眼鏡１の装着状態がスリムとなって該装着状態が自然な外観を呈する。かかることから、左右の補助レンズ部９，９が左右のレンズ部８，８から前側に大きく出っ張る状態となった従来の前掛眼鏡とは異なり、前掛眼鏡が装着された眼鏡の外観を極力損なわないようになし得ることとなる。
【実施例２】
【００２１】
本考案は、前記実施例で示したものに限定されるものでは決してなく、「実用新案登録請求の範囲」の記載内で種々の設計変更が可能であることはいうまでもない。その一例を挙げれば次のようである。
【００２２】
(1) 本考案に係る前掛眼鏡１は、樹脂製眼鏡枠を具える眼鏡に対しての他、金属製眼鏡枠を具える眼鏡に対しても装着できる。
【００２３】
(2) 該眼鏡は、左右のレンズ部を構成する左右の上縁枠部に、ナイロン糸等の支持線材を用いてレンズを保持させてなる所謂ナイロール眼鏡と称されている眼鏡として構成されることがある他、左右のレンズ相互を連結部材で直接的に連結してなる所謂ツーポイント眼鏡と称されている眼鏡として構成されることもある。
【００２４】
(3) 前記前掛眼鏡１は、左右の補助レンズ部９，９が一連に連なったものとして、例えばプラスチック製サングラスとして構成されることもある。
【符号の説明】
【００２５】
１  前掛眼鏡
２  眼鏡
３  レンズ枠部
５  ブリッジ部
６  樹脂製眼鏡枠
７  レンズ
８  レンズ部
９  補助レンズ部
１０  連結部
１１  補助レンズ部の後面部
１２  補助レンズ部の上の縁部分
１３  補助レンズ部の下の縁部分
１５  レンズ部の上の縁部分
１６  レンズ部の下の縁部分
１７  レンズ押圧部材
１９  枢着片
２０  レンズ部の上縁部分
２１  後方突出片
２２  後端
２３  レンズ部の後面
２５  押圧部
２６  押圧片
３３  レバー片
３５  バネ部材
３６  間隙
【図１】
0003158051.tif 000003
【図２】
0003158051.tif 000004
【図３】
0003158051.tif 000005
【図４】
0003158051.tif 000006
【図５】
0003158051.tif 000007
【図６】
0003158051.tif 000008
【図７】
0003158051.tif 000009